(57)【要約】【課題】通信端末の留守録設定時に、効率的なメッセージの授受を可能にするとともに、メッセージ録音メモリの浪費を防止する。【解決手段】開示される通信端末は、無線部１０２と、着信応答アナウンスメモリ１０３と、留守録伝言メッセージ録音メモリ１０４とを備え、着信時、留守録設定があるときは、電話応答不可能の旨のアナウンスを着信相手に送出し、着信した電話番号と同一の電話番号の録音メッセージがメッセージ録音メモリにないときは、相手からの録音済メッセージがない旨のアナウンスを着信相手に送出し、着信した電話番号と同一の電話番号のメッセージがメッセージ録音メモリにあったときは、メッセージのステータスが未聴取か聴取済かに応じて、メッセージが未聴取の旨のアナウンス又はメッセージが聴取済の旨のアナウンスを着信相手に送出したのち、メッセージの通知を促すアナウンスを着信相手に送出する。【選択図】      図１
2004312399.tif 000002
【特許請求の範囲】
【請求項１】
着信を検出して着信相手との回線接続を行う制御手段と、
着信相手からのメッセージを電話番号及び未聴取又は聴取済を示すステータスを付して録音するメッセージ記憶手段と、
着信に対して電話応答不可能の旨を告げる第１のアナウンスと、着信相手からのメッセージが未聴取の旨を告げる第２のアナウンスと、着信相手からのメッセージが聴取済の旨を告げる第３のアナウンスと、着信相手からの録音済メッセージがない旨を告げる第４のアナウンスと、着信相手にメッセージの通知を促す第５のアナウンスとを予め格納するアナウンス記憶手段とを備え、
着信時、留守録設定がなされているときは、前記第１のアナウンスを着信相手に送出し、着信した電話番号と同一の電話番号の録音メッセージが前記メッセージ記憶手段にないときは、前記第４のアナウンスを着信相手に送出し、着信した電話番号と同一の電話番号の録音メッセージが前記メッセージ記憶手段にあったときは、前記メッセージのステータスが未聴取又は聴取済のいずれに対応するかに応じて、前記第２又は第３のアナウンスを着信相手に送出したのち、前記第５のアナウンスを着信相手に送出することを特徴とする通信端末。
【請求項２】
着信を検出して着信相手との回線接続を行う制御手段と、
着信相手からのメッセージを電話番号及び未聴取又は聴取済を示すステータスを付して録音するメッセージ記憶手段と、
着信に対して電話応答不可能の旨を告げる第１のアナウンスと、メッセージが未聴取の旨を告げる第２のアナウンスと、メッセージが聴取済の旨を告げる第３のアナウンスと、着信相手からの録音済メッセージがない旨を告げる第４のアナウンスと、着信相手にメッセージの通知を促す第５のアナウンスと、着信相手からの録音メッセージであることを示す第６のアナウンスとを予め格納するアナウンス記憶手段とを備え、
着信時、留守録設定がなされているときは、前記第１のアナウンスを着信相手に送出し、着信した電話番号と同一の電話番号の録音メッセージが前記メッセージ記憶手段にないときは、前記第４のアナウンスを着信相手に送出し、着信した電話番号と同一の電話番号の録音メッセージが前記メッセージ記憶手段にあったときは、前記メッセージに前記第６のアナウンスを付加して着信相手に通知してから、前記メッセージのステータスが未聴取又は聴取済のいずれに対応するかに応じて、前記第２又は第３のアナウンスを着信相手に送出したのち、前記第５のアナウンスを着信相手に送出することを特徴とする通信端末。
【請求項３】
着信時、留守録設定がなされていないとき、又は前記メッセージ記憶手段に空きがないときは、通常の着信処理に移行することを特徴とする請求項１又は２記載の通信端末。
【請求項４】
着信を検出して着信相手との回線接続を行い、留守録設定時、着信相手からのメッセージを電話番号及び未聴取又は聴取済を示すステータスを付して録音するとともに、着信に対して電話応答不可能の旨を告げる第１のアナウンスと、着信相手からのメッセージが未聴取の旨を告げる第２のアナウンスと、着信相手からのメッセージが聴取済の旨を告げる第３のアナウンスと、着信相手からの録音済メッセージがない旨を告げる第４のアナウンスと、着信相手にメッセージの通知を促す第５のアナウンスとを予め記憶し、着信時、留守録設定がなされているときは、前記第１のアナウンスを着信相手に送出し、着信した電話番号と同一の電話番号のメッセージが録音されていないときは、前記第４のアナウンスを着信相手に送出し、着信した電話番号と同一の電話番号のメッセージが録音されていたときは、該メッセージのステータスが未聴取又は聴取済のいずれに対応するかに応じて、前記第２又は第３のアナウンスを着信相手に送出したのち、前記第５のアナウンスを着信相手に送出することを特徴とする通信端末の留守録着信応答方法。
【請求項５】
着信を検出して着信相手との回線接続を行い、留守録設定時、着信相手からのメッセージを電話番号及び未聴取又は聴取済を示すステータスを付して録音するとともに、着信に対して電話応答不可能の旨を告げる第１のアナウンスと、着信相手からのメッセージが未聴取の旨を告げる第２のアナウンスと、着信相手からのメッセージが聴取済の旨を告げる第３のアナウンスと、着信相手からの録音済メッセージがない旨を告げる第４のアナウンスと、着信相手にメッセージの通知を促す第５のアナウンスと、着信相手からの録音メッセージであることを示す第６のアナウンスとを予め記憶し、着信時、留守録設定がなされているときは、前記第１のアナウンスを着信相手に送出し、着信した電話番号と同一の電話番号のメッセージが録音されていないときは、前記第４のアナウンスを着信相手に送出し、着信した電話番号と同一の電話番号のメッセージが録音されていたときは、該メッセージに前記第６のアナウンスを付加して着信相手に通知してから、前記メッセージのステータスが未聴取又は聴取済のいずれに対応するかに応じて、前記第２又は第３のアナウンスを着信相手に送出したのち、前記第５のアナウンスを着信相手に送出することを特徴とする通信端末の留守録着信応答方法。
【請求項６】
着信時、留守録設定がなされていないとき、又は前記メッセージ記憶手段に空きがないときは、通常の着信処理に移行することを特徴とする請求項４又は５記載の通信端末の留守録着信応答方法。
【発明の詳細な説明】
【０００１】
【発明の属する技術分野】
この発明は、メッセージの授受を効率的に行うとともに、メッセージ録音メモリを効率的に使用可能な、通信端末及び通信端末の留守録着信応答方法に関する。
【０００２】
【従来の技術】
近年において、携帯電話機や固定電話機等の通信端末には、留守録（又は伝言メモ、以下、単に留守録と略す）機能が設けられることが多くなっている。
このような、留守録機能を有する通信端末において、留守録設定時に着信があると、従来は、メッセージ録音メモリに空きがある場合には、単に、「メッセージを残されるようでしたら、ピー音の後にご伝言をお預かりします。」というような応答アナウンスだけを着信相手に対して送信して、メッセージの送信を促すのが一般的であった。
そして、既に、相手がメッセージ録音メモリに、メッセージを１件残している状態で、再度着信してきた場合でも、同じ応答アナウンスを送出するようにしていた。
【０００３】
【特許文献１】
特願２００１−２０３７９８公報
【特許文献２】
特願平０９−２６１３４８公報
【０００４】
【発明が解決しようとする課題】
しかしながら、相手がメッセージを１件送ったのちに、再度、メッセージを送信しようとする場合には、前回送ったメッセージが既に聴取されているか否かがわからないため、前回のメッセージとの関係で、次のメッセージとして、どのような内容のメッセージを送ったらよいか、判断に迷うことがある。
そこで、念のため、前回と同じメッセージを再度送ってから、今回のメッセージを送るということが起こりがちであって、効率的にメッセージの伝達を行うことができない。
【０００５】
このように、従来の通信端末における、留守録設定時の着信応答アナウンスでは、メッセージを送る側が効率的にメッセージの伝達を行うことができないとともに、メッセージを受ける側にとっても、同一内容のメッセージを重複して受けることになるので、効率的にメッセージを受信することができないという問題があった。
さらに、受信側の通信端末において、このようにメッセージを重複して録音することは、通信端末の限られた容量のメッセージ録音メモリを無駄に占有する結果となって、録音可能なメッセージの件数が少なくなる恐れもあるという問題もあった。
【０００６】
この発明は上述の事情に鑑みてなされたものであって、留守録設定時の着信応答アナウンスシステムを改善することによって、メッセージの録音を効率的に行えるとともに、通信端末のメッセージ録音メモリの容量を有効に活用することが可能な、通信端末及び通信端末の留守録着信応答方法を提供することを目的としている。
【０００７】
【課題を解決するための手段】
上記課題を解決するため、請求項１記載の発明は通信端末に係り、着信を検出して着信相手との回線接続を行う制御手段と、着信相手からのメッセージを電話番号及び未聴取又は聴取済を示すステータスを付して録音するメッセージ記憶手段と、着信に対して電話応答不可能の旨を告げる第１のアナウンスと、着信相手からのメッセージが未聴取の旨を告げる第２のアナウンスと、着信相手からのメッセージが聴取済の旨を告げる第３のアナウンスと、着信相手からの録音済メッセージがない旨を告げる第４のアナウンスと、着信相手にメッセージの通知を促す第５のアナウンスとを予め格納するアナウンス記憶手段とを備え、着信時、留守録設定がなされているときは、上記第１のアナウンスを着信相手に送出し、着信した電話番号と同一の電話番号の録音メッセージが上記メッセージ記憶手段にないときは、上記第４のアナウンスを着信相手に送出し、着信した電話番号と同一の電話番号の録音メッセージが上記メッセージ記憶手段にあったときは、上記メッセージのステータスが未聴取又は聴取済のいずれに対応するかに応じて、上記第２又は第３のアナウンスを着信相手に送出したのち、上記第５のアナウンスを着信相手に送出することを特徴としている。
【０００８】
また、請求項２記載の発明は、通信端末に係り、着信を検出して着信相手との回線接続を行う制御手段と、着信相手からのメッセージを電話番号及び未聴取又は聴取済を示すステータスを付して録音するメッセージ記憶手段と、着信に対して電話応答不可能の旨を告げる第１のアナウンスと、メッセージが未聴取の旨を告げる第２のアナウンスと、メッセージが聴取済の旨を告げる第３のアナウンスと、着信相手からの録音済メッセージがない旨を告げる第４のアナウンスと、着信相手にメッセージの通知を促す第５のアナウンスと、着信相手からの録音メッセージであることを示す第６のアナウンスとを予め格納するアナウンス記憶手段とを備え、着信時、留守録設定がなされているときは、上記第１のアナウンスを着信相手に送出し、着信した電話番号と同一の電話番号の録音メッセージが上記メッセージ記憶手段にないときは、上記第４のアナウンスを着信相手に送出し、着信した電話番号と同一の電話番号の録音メッセージが上記メッセージ記憶手段にあったときは、上記メッセージに上記第６のアナウンスを付加して着信相手に通知してから、上記メッセージのステータスが未聴取又は聴取済のいずれに対応するかに応じて、上記第２又は第３のアナウンスを着信相手に送出したのち、上記第５のアナウンスを着信相手に送出することを特徴としている。
【０００９】
また、請求項３記載の発明は、請求項１又は２記載の通信端末に係り、着信時、留守録設定がなされていないとき、又は上記メッセージ記憶手段に空きがないときは、通常の着信処理に移行することを特徴としている。
【００１０】
また、請求項４記載の発明は、通信端末の留守録着信応答方法に係り、着信を検出して着信相手との回線接続を行い、留守録設定時、着信相手からのメッセージを電話番号及び未聴取又は聴取済を示すステータスを付して録音するとともに、着信に対して電話応答不可能の旨を告げる第１のアナウンスと、着信相手からのメッセージが未聴取の旨を告げる第２のアナウンスと、着信相手からのメッセージが聴取済の旨を告げる第３のアナウンスと、着信相手からの録音済メッセージがない旨を告げる第４のアナウンスと、着信相手にメッセージの通知を促す第５のアナウンスとを予め記憶し、着信時、留守録設定がなされているときは、上記第１のアナウンスを着信相手に送出し、着信した電話番号と同一の電話番号のメッセージが録音されていないときは、上記第４のアナウンスを着信相手に送出し、着信した電話番号と同一の電話番号のメッセージが録音されていたときは、該メッセージのステータスが未聴取又は聴取済のいずれに対応するかに応じて、上記第２又は第３のアナウンスを着信相手に送出したのち、上記第５のアナウンスを着信相手に送出することを特徴としている。
【００１１】
また、請求項５記載の発明は、通信端末の留守録着信応答方法に係り、着信を検出して着信相手との回線接続を行い、留守録設定時、着信相手からのメッセージを電話番号及び未聴取又は聴取済を示すステータスを付して録音するとともに、着信に対して電話応答不可能の旨を告げる第１のアナウンスと、着信相手からのメッセージが未聴取の旨を告げる第２のアナウンスと、着信相手からのメッセージが聴取済の旨を告げる第３のアナウンスと、着信相手からの録音済メッセージがない旨を告げる第４のアナウンスと、着信相手にメッセージの通知を促す第５のアナウンスと、着信相手からの録音メッセージであることを示す第６のアナウンスとを予め記憶し、着信時、留守録設定がなされているときは、上記第１のアナウンスを着信相手に送出し、着信した電話番号と同一の電話番号のメッセージが録音されていないときは、上記第４のアナウンスを着信相手に送出し、着信した電話番号と同一の電話番号のメッセージが録音されていたときは、該メッセージに上記第６のアナウンスを付加して着信相手に通知してから、上記メッセージのステータスが未聴取又は聴取済のいずれに対応するかに応じて、上記第２又は第３のアナウンスを着信相手に送出したのち、上記第５のアナウンスを着信相手に送出することを特徴としている。
【００１２】
また、請求項６記載の発明は、請求項４又は５記載の通信端末の留守録着信応答方法に係り、着信時、留守録設定がなされていないとき、又は上記メッセージ記憶手段に空きがないときは、通常の着信処理に移行することを特徴としている。
【００１３】
【発明の実施の形態】
以下、図面を参照して、この発明の実施の形態について説明する。説明は、実施例を用いて具体的に行う。
◇第１実施例
図１は、本発明の第１実施例である通信端末の構成を示すブロック図、図２は、本実施例の留守録伝言メッセージ録音メモリおける空き状態の記憶データを示す図、図３は、本実施例の留守録伝言メッセージ録音メモリにおける未聴取状態の記憶データを示す図、図４は、本実施例の留守録伝言メッセージ録音メモリにおける聴取済状態の記憶データを示す図、図５は、本実施例における留守録着信応答アナウンスを示す図、図６は、本実施例における留守録着信応答動作を示すフローチャートである。
【００１４】
以下においては、通信端末が携帯電話機である場合を例として説明するが、本発明の通信端末はこの場合に限るものではない。
本発明の通信端末の一例である携帯電話機は、図１に示すように、アンテナ１０１と、無線部１０２と、着信応答アナウンスメモリ１０３と、留守録伝言メッセージ録音メモリ１０４と、表示部１０５と、キー入力部１０６とから概略構成されている。
【００１５】
アンテナ１０１は、無線部１０２が取り扱う無線信号と、空間を伝播する電波との相互の変換を行って、図示されない公衆基地局との間で無線通信を可能にする。無線部１０２は、アンテナ１０１から入力された無線信号をベースバンドの信号に変換して制御部１０７に入力し、制御部１０７から出力されたベースバンドの信号を無線信号に変換してアンテナ１０１に出力する。着信応答アナウンスメモリ１０３は、自携帯電話機の留守録設定時に、着信があったとき、着信相手に送出する着信応答アナウンスを格納する。
【００１６】
留守録伝言メッセージ録音メモリ１０４は、自携帯電話機の留守録設定時に、着信相手から送られたメッセージを、相手電話番号及びステータスと対応付けて記憶する。表示部１０５は、留守録設定時に、関連する情報を可視表示する。キー入力部１０６は、留守録設定時に、自携帯電話機の使用者がキーによって所要の操作入力を行う。制御部１０７は、各部の動作を制御して、音声情報と各種制御情報の入出力を行う。
【００１７】
以下、図１乃至図６を参照して、この例の通信端末の留守録着信応答方法を詳細に説明する。
図１に示された留守録伝言メッセージ録音メモリ１０４には、メッセージが録音されない空き状態では、図２に示すように、ステータスとして「空き」が記憶され、メッセージが録音されているが、未聴取の場合には、図３に示すように、相手電話番号と録音メッセージが記憶されるとともに、ステータスとして未聴取（未再生）が記憶され、メッセージが録音されているとともに、聴取済の場合には、図４に示すように、相手電話番号と録音メッセージが記憶されるとともに、ステータスとして聴取済（再生後未消去）が記憶される。
また、着信応答アナウンスメモリ１０３には、予め、図５に示すような複数種類のアナウンスが録音されている。
【００１８】
自携帯電話機の留守録設定時に着信があったときは、図６に示すフローチャートに従って、動作が行われる。
制御部１０７は、アンテナ１０１，無線部１０２を介して公衆基地局からの着信を検出すると（ステップＳ１０１）、自携帯電話機の留守録（伝言メモ）が設定されているか否かを判断する（ステップＳ１０２）。自携帯電話機の留守録設定は、携帯電話機の使用者が、表示部１０５によって設定状態を確認しながら、キー入力部１０６を操作することによって行われる。
ステップＳ１０２において、自携帯電話機の留守録が設定されている場合には、制御部１０７は、留守録伝言メッセージ録音メモリ１０４を参照して、空きがあるか否かを判断する（ステップＳ１０３）。
【００１９】
ステップＳ１０３で、留守録伝言メッセージ録音メモリ１０４に空きがあった場合には、制御部１０７は、着信応答アナウンスメモリ１０３に格納されている、図５に示すアナウンス１を着信相手に送出し（ステップＳ１０４）、留守録伝言メッセージ録音メモリ１０４を参照して、着信相手電話番号と同一の電話番号の録音メッセージがあるか否かを判断する（ステップＳ１０６）。そして、着信相手電話番号と同一の電話番号の録音メッセージがある場合には、その録音メッセージが未聴取であるか、又は聴取済であるかを判断する（ステップＳ１０７）。
【００２０】
制御部１０７は、ステップＳ１０７で録音メッセージが未聴取であった場合は、着信応答アナウンスメモリ１０３に格納されているアナウンス２を着信相手に送出し（ステップＳ１０９）、ステップＳ１０７で録音メッセージが聴取済であった場合は、着信応答アナウンスメモリ１０３に格納されているアナウンス３を着信相手に送出する（ステップＳ１０８）
また、ステップＳ１０６で着信相手電話番号と同一電話番号の録音メッセージがない場合は、着信応答アナウンスメモリ１０３に格納されているアナウンス４を着信相手に送出する（ステップＳ１１０）。
【００２１】
制御部１０７は、ステップＳ１０８又はステップＳ１０９又はステップＳ１１０の処理を行ったのち、着信相手に、着信応答アナウンスメモリ１０３に格納されているアナウンス５を送出し（ステップＳ１１１）、録音処理へ進む（ステップＳ１１２）。
ステップＳ１１２では、制御部１０７は、図３に示すように、留守録伝言メッセージ録音メモリ１０４の空き領域に、着信相手電話番号と録音メッセージとを記憶し、ステータスとして未聴取（未再生）を記憶する。
【００２２】
自携帯電話機に録音されたメッセージの聴取は、使用者が表示部１０５を見ながら、キー入力部１０６を操作することによって行われ、制御部１０７は、例えば、図３の録音メッセージに対する聴取が操作されると、図４に示すように、ステータスを聴取済（再生後未消去）に更新する。
さらに消去操作が行われると、制御部１０７は、図２に示すように、電話番号と録音メッセージをクリアして、ステータスを空きに更新する。
【００２３】
なお、先のステップＳ１０２で、留守録が設定されていない場合、又はステップＳ１０３で、留守録伝言メッセージ録音メモリ１０４を参照して空きがなかった場合には、制御部１０７は、留守録着信応答の処理は行わずに、通常着信の処理を行う（ステップＳ１０５）。
【００２４】
このように、この例の通信端末及び通信端末の留守録着信応答方法では、自通信端末の留守録設定時に着信があると、相手電話番号と対応付けてメッセージを録音する。そしてその後、同じ電話番号から着信があったときは、前回録音されたメッセージが聴取されていない場合には、「あなたからお預かりしたメッセージは、まだ聴取されていません。メッセージを残されるようでしたら、ピー音の後にご伝言をお預かりします。」という旨の応答アナウンスを着信相手に送出する。
【００２５】
また、前回録音されたメッセージが既に聴取されている場合には、「あなたからお預かりしたメッセージは聴取されました。メッセージを残されるようでしたら、ピー音の後にご伝言をお預かりします。」という旨の応答アナウンスを着信相手に送出する。
【００２６】
これによって、メッセージを残す側にとっては、前回残したメッセージが既に聴取されているか否かがわかるため、効率的にメッセージを残すことができる。
また、メッセージを受ける側にとっても、効率的なメッセージを得ることができるとともに、自通信端末におけるメッセージ録音メモリの限られた容量の無駄な使用を抑制することができる。
【００２７】
◇第２実施例
図７は、本発明の第２実施例における留守録着信応答アナウンスを示す図、図８は、本実施例における留守録着信応答動作を示すフローチャートである。
この例における通信端末の構成は、図１に示された第１実施例の場合と同様である。また、この例の場合における空き状態と、未聴取状態と、聴取済状態とのメッセージ録音メモリの記憶データは、それぞれ図２，図３，図４に示された第１実施例の場合と同様である。
【００２８】
以下、図７及び図８を参照して、この例の通信端末の留守録着信応答方法を詳細に説明する。
自携帯電話機の留守録設定時に着信があったときは、図８に示すフローチャートに従って、動作が行われる。
制御部１０７が、アンテナ１０１，無線部１０２を介して公衆基地局からの着信を検出したときの、ステップＳ２０１〜ステップＳ２０７の動作は、図６に示された第１実施例の場合のステップＳ１０１〜ステップＳ１０７の動作と同様である。
【００２９】
制御部１０７は、ステップＳ２０７で、録音メッセージが未聴取であった場合は、着信応答アナウンスメモリ１０３に格納されている、図７に示すアナウンス６を着信相手に送出したのち（ステップＳ２１１）、ステップＳ２０６で検出した録音メッセージを着信相手に送出し（ステップＳ２１２）、その後、着信応答アナウンスメモリ１０３に格納されているアナウンス２を着信相手に送出する（ステップＳ２１３）。
【００３０】
一方、ステップＳ２０７で録音メッセージが聴取済であった場合は、制御部１０７は、着信応答アナウンスメモリ１０３に格納されているアナウンス６を着信相手に送出したのち（ステップＳ２０８）、ステップＳ２０６で検出した録音メッセージを着信相手に送出し（ステップＳ２０９）、その後、着信応答アナウンスメモリ１０３に格納されているアナウンス３を着信相手に送出する（ステップＳ２１０）。
また、ステップＳ２０６で着信相手電話番号と同一電話番号の録音メッセージがない場合は、着信応答アナウンスメモリ１０３に格納されているアナウンス４を着信相手に送出する（ステップＳ２１４）。
【００３１】
制御部１０７は、ステップＳ２１０又はステップＳ２１３又はステップＳ２１４の処理を行ったのち、着信相手に、着信応答アナウンスメモリ１０３に格納されているアナウンス５を送出し（ステップＳ２１５）、録音処理へ進む（ステップＳ２１６）。
ステップＳ２１６では、制御部１０７は、図３に示すように、留守録伝言メッセージ録音メモリ１０４の空き領域に、着信相手電話番号と録音メッセージとを記憶し、ステータスとして未聴取（未再生）を記憶する。
【００３２】
自携帯電話機に録音されたメッセージの聴取は、使用者が表示部１０５を見ながら、キー入力部１０６を操作することによって行われ、制御部１０７は、例えば、図３の録音メッセージに対する聴取が操作されると、図４に示すように、ステータスを聴取済（再生後未消去）に更新し、さらに消去操作が行われると、制御部１０７は、図２に示すように、電話番号と録音メッセージをクリアして、ステータスを空きに更新することは、第１実施例の場合と同様である。
【００３３】
なお、先のステップＳ２０２で、留守録が設定されていない場合、又はステップＳ２０３で、留守録伝言メッセージ録音メモリ１０４を参照して空きがなかった場合には、制御部１０７は、留守録着信応答の処理は行わずに、通常着信の処理を行う（ステップＳ２０５）ことも、第１実施例の場合と同様である。
【００３４】
このように、この例の通信端末及び通信端末の留守録着信応答方法では、自通信端末の留守録設定時に着信があると、相手電話番号と対応付けてメッセージを録音する。そしてその後、同じ電話番号から着信があったときは、前回録音されたメッセージがまだ聴取されていない場合には、「あなたからお預かりしたメッセージ」の後に、前回録音したメッセージを送信して、このメッセージ「は、まだ聴取されていません。」というアナウンスを行い、その後に、「メッセージを残されるようでしたら、ピー音の後にご伝言をお預かりします。」という旨の応答アナウンスを着信相手に送出する。
【００３５】
また、前回録音されたメッセージが既に聴取されている場合には、「あなたからお預かりしたメッセージ」の後に、前回録音したメッセージを送信して、このメッセージ「は、聴取されました。」というアナウンスを行い、その後に、「メッセージを残されるようでしたら、ピー音の後にご伝言をお預かりします。」という旨の応答アナウンスを着信相手に送出する。
【００３６】
これによって、メッセージを残す側にとっては、前回残したメッセージが既に聴取されているか否かがわかるため、効率的にメッセージを残すことができる。
また、メッセージを受ける側にとっても、効率的なメッセージを得ることができるとともに、自通信端末におけるメッセージ録音メモの限られた容量の浪費を抑制することができる。
【００３７】
以上、この発明の実施例を図面により詳述してきたが、具体的な構成はこの実施例に限られたものではなく、この発明の要旨を逸脱しない範囲の設計の変更等があってもこの発明に含まれる。例えば、本発明は、携帯電話機に限らず固定電話機の場合にも適用することができる。この場合は、図１に示された構成図において、アンテナ１０１を交換機との間の回線に置き換え、無線部１０２を、回線と制御部１０７との間で音声信号及び制御信号のインタフェースをとる回線インタフェース部に置き換えればよい。
【００３８】
【発明の効果】
以上説明したように、本発明の通信端末及び通信端末の留守録着信応答方法によれば、携帯電話機等における留守録設定時に、同一電話番号に重ねて着信があった際の応答アナウンス方法を改善したので、メッセージを送る側では効率的にメッセージを送ることができる。また、メッセージを受ける側でも、効率的なメッセージを得ることができるとともに、自通信端末のメッセージ録音メモリの限られた容量を有効に活用することができる。
【図面の簡単な説明】
【図１】本発明の第１実施例である通信端末の構成を示すブロック図である。
【図２】同実施例の留守録伝言メッセージ録音メモリにおける空き状態のの記憶データを示す図である。
【図３】同実施例の留守録伝言メッセージ録音メモリにおける未聴取状態の記憶データを示す図である。
【図４】同実施例の留守録伝言メッセージ録音メモリにおける聴取済状態の記憶データを示す図である。
【図５】同実施例における留守録着信応答アナウンスを示す図である。
【図６】同実施例における留守録着信応答動作を示すフローチャートである。
【図７】本発明の第２実施例における留守録着信応答アナウンスを示す図である。
【図８】同実施例における留守録着信応答動作を示すフローチャートである。
【符号の説明】
１０１      アンテナ
１０２      無線部
１０３      着信応答アナウンスメモリ（アナウンス記憶手段）
１０４      留守録伝言メッセージ録音メモリ（メッセージ記憶手段）
１０５      表示部
１０６      キー入力部
１０７      制御部（制御手段）
【図１】
2004312399.tif 000003
【図２】
2004312399.tif 000004
【図３】
2004312399.tif 000005
【図４】
2004312399.tif 000006
【図５】
2004312399.tif 000007
【図６】
2004312399.tif 000008
【図７】
2004312399.tif 000009
【図８】
2004312399.tif 000010